【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
予め、無作為に選択された、母集団を代表とすべきパネラー集団について、皮脂量と毛穴の大きさを計測し、皮脂量を示す軸及び毛穴の大きさを示す軸との２軸によって構成される座標平面上に、カテゴリー化された年齢ごとに、前記測定した皮脂量と毛穴の大きさとをプロットし、カテゴリー化された年齢ごとの代表的な外延を設定してあることを特徴とする、肌特性マップ。
【請求項２】
前記毛穴の大きさを示す第１軸の値が、毛穴の面積の平均値又は毛穴の形状を示す楕円率の平均値であることを特徴とする、請求項１に記載の肌特性マップ。
【請求項３】
前記座標平面へのプロットにおいて、平面散布図としてプロットされることを特徴とする、請求項１又は２に記載の肌特性マップ。
【請求項４】
前記カテゴリー化された年齢ごとの代表的な外延において、前記カテゴリー化された年齢が年代であり、前記外延が、年代別に確率楕円として表示されることを特徴とする、請求項１〜３何れか１項に記載の肌特性マップ。
【請求項５】
肌特性を鑑別すべき人について、皮脂量と毛穴の大きさを計測し、年齢を質問により特定し、請求項１〜４何れか１項に記載の肌特性マップにプロットすることを特徴とする、肌特性の表示方法。
【請求項６】
肌特性の表示が、同じカテゴリーの集団中に於ける相対位置として表示されることを特徴とする、請求項５に記載の肌特性の表示方法。
【請求項７】
化粧料の選択のためのものであることを特徴とする、請求項５又は６に記載の肌特性の表示方法。
【請求項８】
コフォートとして把握されることを特徴とする、請求項５〜７何れか１項に記載の肌特性の表示方法。
【手続補正２】
【補正対象書類名】明細書
【補正対象項目名】０００４
【補正方法】変更
【補正の内容】
【０００４】
このような状況において、化粧料の選択、化粧方法及び肌の手入れのために、重要な肌特性の項目としては、皮膚生理の項目では皮脂量や水分量が重要であり、また皮膚表面形態の項目では、皮膚表面の皮丘皮溝の凹凸状態、毛穴やしわの状態が重要である。皮脂量については、皮脂量が皮脂分泌という機能特性であり、皮脂量の多寡によって肌のトラブルが起こりやすく、洗顔料、基礎化粧料及びベースメークアップ料の選択に注意を払うことが必要がある。一方、毛穴については、毛穴は皮脂分泌を行ってきた皮脂腺の皮膚表面における形態特性であり、毛穴の目立ち具合は、肌の大きな悩みとなり、ベースメークアップ料の選択が重要な課題となっている。このように皮脂量と毛穴の状態とは共に極めて重要にも拘わらず、この両者の関連性については、例えば、皮脂量が多い人では毛穴が大きいことや皮脂量は加齢と共にその分泌量が減少することなどは知られているが、それ以外には両者の関連性については全く知られていない状況である。即ち、皮脂量と毛穴の大きさとを年齢でカテゴリー化し、整理し表示することにより、その人の近傍にあるべき人の値との相対的な比較が出来るようになり、この様に、個人の測定値をコフォートの中の一構成要素として把握することにより、今後の変化の予測などがより的確に為されることも、より適切な処理のための化粧料が選択しうることも全く知られていなかった。
【手続補正３】
【補正対象書類名】明細書
【補正対象項目名】０００７
【補正方法】変更
【補正の内容】
【０００７】
このような状況を鑑みて、本発明者らは、化粧料の選択などのアドバイスやカウンセリングの分野において、皮脂量と毛穴の状態との関連性に基づいて、一般の人がアドバイスやカウンセリングを容易且つ的確に享受できるような、効果的な技術を求めて、鋭意研究努力を重ねた結果、皮脂量を示す軸と毛穴の大きさを示す軸とによって構成されるグラフ上において、皮脂量を示す値と毛穴の大きさを示す値によって決定される表示方法によって、現在の肌特性や化粧料の選択など認知してアドバイスやカウンセリングを一般の人が容易且つ的確に享受できることを見出し、発明を完成させるに至った。即ち、本発明は以下に示すとおりである。
（１）予め、無作為に選択された、母集団を代表とすべきパネラー集団について、皮脂量と毛穴の大きさを計測し、皮脂量を示す軸及び毛穴の大きさを示す軸との２軸によって構成される座標平面上に、カテゴリー化された年齢ごとに、前記測定した皮脂量と毛穴の大きさとをプロットし、カテゴリー化された年齢ごとの代表的な外延を設定してあることを特徴とする、肌特性マップ。
（２）前記毛穴の大きさを示す第１軸の値が、毛穴の面積の平均値又は毛穴の形状を示す楕円率の平均値であることを特徴とする、（１）に記載の肌特性マップ。
（３）前記座標平面へのプロットにおいて、平面散布図としてプロットされることを特徴とする、（１）又は（２）に記載の肌特性マップ。
（４）前記カテゴリー化された年齢ごとの代表的な外延において、前記カテゴリー化された年齢が年代であり、前記外延が、年代別に確率楕円として表示されることを特徴とする、（１）〜（３）何れかに記載の肌特性マップ。
（５）肌特性を鑑別すべき人について、皮脂量と毛穴の大きさを計測し、年齢を質問により特定し、（１）〜（４）何れかに記載の肌特性マップにプロットすることを特徴とする、肌特性の表示方法。
（６）肌特性の表示が、同じカテゴリーの集団中に於ける相対位置として表示されること
を特徴とする、（５）に記載の肌特性の表示方法。
（７）化粧料の選択のためのものであることを特徴とする、（５）又は（６）に記載の肌特性の表示方法。
（８）コフォートとして把握されることを特徴とする、（５）〜（７）何れかに記載の肌特性の表示方法。
【手続補正４】
【補正対象書類名】明細書
【補正対象項目名】０００８
【補正方法】変更
【補正の内容】
【０００８】
本発明によれば、化粧料の選択などのアドバイスやカウンセリングの分野において、皮脂量を示す値と毛穴の大きさを示す値によって決定される表示方法によって、現在の肌特性や化粧料の選択等を認知して、一般の人がアドバイスやカウンセリングを容易且つ的確に享受できるような、効果的な技術を提供することができる。
【手続補正５】
【補正対象書類名】明細書
【補正対象項目名】００１８
【補正方法】変更
【補正の内容】
【００１８】
毛穴の大きさを示す軸の値として、例えば、毛穴の面積の平均値及び毛穴の形状を示す楕円率の平均値が例示できる。本発明者らの検討によれば、毛穴の面積の平均値は、皮脂腺の機能が活発となる２０代に大きく増加する特徴的パターンに対し、楕円率の平均値は、皮脂腺の活性が低下する４０代以降に増加していく特徴的パターンを示す。楕円率の４０代以降の増加は、皮脂腺機能の低下に伴って毛穴の形状がより真円から楕円に変形したり、楕円形状の毛穴の比率が増加するためである。この様な毛穴の形状のコフォート変化は毛穴の形状を説明因子として、肌特性ごとの化粧料の選択のアドバイスに反映させると有利であり、例えば、「楕円形状の毛穴を目立たなくする機能に優れた粉体を配合したベースメークアップ料をお勧めです」というアドバイスを提示することが好ましい例として例示できる。尚、ここでいうコフォートとはある条件で統一した集団のことを意味し、例えば、コフォート調査として分析疫学分野において行われる仮説検証型の追跡調査がある。
【手続補正６】
【補正対象書類名】明細書
【補正対象項目名】００２７
【補正方法】変更
【補正の内容】
【００２７】
図３に示すように、１０代から５０代へと年代と共に確率楕円の傾きは大きくなり、相対位置がシフトする。３０〜４０代では、毛穴面積が大きい被験者においても皮脂産生量が低下する被験者の割合が多くなる一方、依然として皮脂産生量の多い被験者も多く、老化型と皮脂産生型の両方の毛穴パターンが混在している。また５０代では、皮脂産生が低下し老化型の毛穴パターンであること明らかになる。かような表示を行うことによって、例えば、５０代の毛穴の目立った女性に対して、「洗顔料はソフトな洗顔作用のもので、楕円形の毛穴を目立たなくする機能に優れた粉体を配合したベースメークアップ料がお勧めです」というアドバイス等、一般の人に対して化粧料の選択、化粧方法及び肌の手入れ
についてのカウンセリングやアドバイスを容易且つ的確に享受できる効果的な技術を提供できることができる。
【手続補正７】
【補正対象書類名】明細書
【補正対象項目名】００２９
【補正方法】変更
【補正の内容】
【００２９】
実施例１において、皮脂量を示す横軸と毛穴の面積を示す縦軸との２軸によって構成される座標平面において、１０代及び５０代についての皮脂量と毛穴面積との関係のプロットの散布図とその９５％の確率楕円とを同時表示した肌特性マップを図５に示す。
【手続補正８】
【補正対象書類名】明細書
【補正対象項目名】００３４
【補正方法】変更
【補正の内容】
【００３４】
本発明によって、肌状態や化粧料の選択などのアドバイスやカウンセリングの分野において、皮脂量と毛穴の大きさを示す値によって決定される表示方法や肌特性マップを提供することができる。その結果、顧客と直接接する場所、例えば、デパートや店頭、更には顧客の家において、一般の人が肌特性や化粧料の選択などを認知して、アドバイスやカウンセリングを容易且つ的確に享受できるような効果的な技術を提供することができる。
【手続補正９】
【補正対象書類名】明細書
【補正対象項目名】００３５
【補正方法】変更
【補正の内容】
【００３５】
【図１】顔部位の計測対象領域である２＊２平方ｃｍの頬部を示す図である。
【図２】頬部より取り込んだ画像より毛穴の大きさを求める画像処理の１例を示す図である（図面代用写真）。
【図３】実施例１の結果で、本発明の年代別に皮脂量と毛穴面積との関係を確率楕円で表示した肌特性マップである。
【図４】実施例２の結果で、本発明の年代別に皮脂量と毛穴面積との関係を確率楕円で表示した肌特性マップにおいて、肌特性の鑑別を行った結果である。
【図５】実施例３の結果で、本発明のカテゴリー化された年齢（１０代及び５０代）における皮脂量と毛穴面積との関係を示す散布図と確率楕円を表示した図である。
【図６】実施例４の結果で、本発明の年代別に総皮脂量と毛穴の楕円率の関係を確率楕円で表示した図である。
【図７】比較例１の結果で、皮脂量と毛穴面積との関係を散布図で表示した図である。
【図８】比較例１の結果で、皮脂量と毛穴形状の楕円率との関係を散布図で表示した図である。